(57)【要約】      （修正有）【課題】小型で安定した検査が可能な吸盤式電極を提供する。【解決手段】吸盤１と、吸盤１の下面に複数本の電極３１，３２、３３からなる電極部３を吸盤１の中心から放射状に形成され、個々の電極３１，３２、３３と減圧機能付きケーブル管５に収納されているケーブル２の導線９を接続する吸盤式電極である。さらに、吸盤式電極が検査対象物に接触面１０へ強固に固定するために吸盤１の中心部に設けられた減圧機能付きケーブル管５を併せ持つ。【選択図】図１
2015162305.tif 000002
【特許請求の範囲】
【請求項１】
吸盤と、前記吸盤に設けられた電極部とを備える吸盤式電極において、
前記電極部は、前記吸盤の下面に前記吸盤の中心から放射状に設けられている複数の電極を有し、
前記複数の電極が、前記吸盤の中心部に設けられた減圧機能付きケーブル管に収納されている複数の導線と、それぞれ接続されていることを特徴とする吸盤式電極。
【請求項２】
前記電極部は、導電性粒子や導電性繊維が混練された弾性導電体であることを特徴とする請求項１記載の吸盤式電極。
【請求項３】
前記電極部は、前記吸盤下面に貼り付けられた導電性薄膜であることを特徴とする請求項１記載の吸盤式電極。
【請求項４】
前記減圧機能式ケーブル管が、減圧ネジ型ケーブル管であることを特徴とする請求項１乃至３のいずれか１項に記載の吸盤式電極。
【請求項５】
前記減圧機能式ケーブル管が、減圧レバー型ケーブル管であることを特徴とする請求項１乃至３のいずれか１項に記載の吸盤式電極。
【発明の詳細な説明】
【技術分野】
【０００１】
本発明は、複数の電極を有する吸盤式電極に関する。
【背景技術】
【０００２】
電極、端子、接点等を有する検査対象物の電気的検査に際しては、電極等に、コネクタなどのメカニカル接触式導通部材を当接させて通電する等の方法を用いていた。
このような従来技術として、特許文献１には、安定した電極の接触を目的とした吸盤式電極が開示されている。吸盤式電極は可撓性のゴム等からなる樹脂製吸盤と吸盤内外を貫通する電極とからなる構成であるが、吸盤が可撓性であるために電極が接触すべき面に対し、接触が不安定であるという課題を解決するために板バネやコイルバネを用いて電極姿勢の安定化を図ったものである。
【先行技術文献】
【特許文献】
【０００３】
【特許文献１】特開２００２−２５６６９号公報
【発明の概要】
【発明が解決しようとする課題】
【０００４】
しかしながら、このように吸盤と棒状電極とバネ等の安定化機構を備えると、部品点数が多くなり、小型化が困難になる。さらに、吸盤と電極が１対１で構成されており、複数の電極を必要とする場合には、検査対象物の電極、端子、接点等が非常に広い面積を占有することになる。
【課題を解決するための手段】
【０００５】
上記課題を解決するために、本発明では、以下の様な手段を用いた。
まず、吸盤と、吸盤に設けられた電極部とを備える吸盤式電極において、前記電極部が前記吸盤下面に前記吸盤の中心から放射状に設けられていることを特徴とする吸盤式電極とした。
【０００６】
また、前記電極部は、複数の電極を有し、前記電極が前記吸盤の中心部に設けられた複数の導線と接続されていることを特徴とする吸盤式電極とした。
また、前記電極部は、導電性粒子や導電性繊維が混練された弾性導電体であることを特徴とする吸盤式電極とした。
【０００７】
また、前記電極部は、前記吸盤下面に貼り付けられた導電性薄膜であることを特徴とする吸盤式電極とした。
また、前記導線は、減圧機能付きケーブル管に収納されていることを特徴とする吸盤式電極とした。
【０００８】
また、前記減圧機能式ケーブル管が、減圧ネジ型ケーブル管であることを特徴とする吸盤式電極とした。
また、前記減圧機能式ケーブル管が、減圧レバー型ケーブル管であることを特徴とする吸盤式電極とした。
【発明の効果】
【０００９】
吸盤式電極を上記構成とすることで、吸着面に複数の電極を持たせることで、ひとつの吸盤で複数本の導線との接続を可能とし、吸盤式電極の小型化が図れる。また、検査対象物の電極、端子、接点等の占有面積が小さくても安定した検査が可能となる。
【図面の簡単な説明】
【００１０】
【図１】本発明の第１の実施形態の吸盤式電極の斜視図である。
【図２】本発明の第１の実施形態の吸盤式電極の断面図である。
【図３】本発明の第２の実施形態の吸盤式電極の斜視図である。
【発明を実施するための形態】
【００１１】
以下に、本発明の実施の形態を説明する。
図１は、本発明の第１の実施形態の吸盤式電極の斜視図である。
可撓性および弾性のあるゴム製の吸盤１には、放射状の複数の電極部３が形成され、吸盤１の端縁には脱着ツマミ４が設けられている。電極部３における個々の電極３１、３２、３３は非電極部８によって電気的に分離されている。図では、放射状の複数の電極部３は吸盤１の上面から下面にかけて形成されているが、吸盤１の下面だけに形成される形態であっても構わない。ただし、吸盤の吸い付きを悪化させることの無いよう、吸盤下面において電極部３と絶縁性の非電極部８との間に段差が無いように形成されることが重要である。電極部３は、ゴムの中に導電性粒子や導電性繊維を混練したものから形成されているため可撓性および弾性を有している。電極部３は上記の他に金属等の導電性薄膜を吸盤下面に貼り付けるという方法で形成しても構わない。吸盤の中央には減圧ネジ型ケーブル管５が設けられ、その中をケーブル２が貫通している。ケーブル２の中には検査装置等と接続された複数の導線２が互いに絶縁されて収納されている。ケーブル２内を貫通する複数の導線２は、吸盤１の中心部で電極部３と電気的に接触する構造となっている。導線２と電極部３との接合は、半田付けでも良いが、吸盤中心部に電極部と導通する凹部を設け、そこに導線を嵌めこむという方法のほうが簡便である。
【００１２】
本実施形態では、複数の導線２に対し複数の電極３１、３２、３３が１対１で電気的に繋がっている。電極３１、３２、３３が検査対象物の電極、端子、接点等と当接することで安定した電気的接触を図ることができる。言うまでもなく、電極の面積を大きくすれば、より安定した接触を図ることが可能となる。導線２が１本、又は、複数の導線２が絶縁されていない場合は、１本の導線２の先端を分岐して複数の電極部３に分けるという構成にしても良い。
【００１３】
次に、この吸盤式電極の脱着について説明する。
図２は、本発明の第１の実施形態の吸盤式電極の断面図である。
まず、吸盤１の吸着面（下面）にある電極部３が、接触させる相手方である検査対象物の接触面１０上に形成された端子１１等と位置が合っていることを確認し、仮固定する。この際、脱着ツマミ４を目印として位置合わせしてもよい。次に減圧ネジ型ケーブル管５を検査対象物の接触面１０を押すように回していくと、吸盤内がさらに減圧され、吸盤１が検査対象物に強固に固定されることになる。そして、吸盤１の吸着面（下面）にある電極部３と検査対象物の端子１１とが電気的に良好な接触を有することになる。その後、通電することで、検査対象物を電気特性検査する。吸盤式電極を外すときは、脱着ツマミ４を検査対象物の接触面１０と反対方向に持ち上げて吸盤内を吸盤外と連通させ、取り外すことができる。
【００１４】
図３は、本発明の第２の実施形態の吸盤式電極の斜視図である。
本実施形態が第１の実施形態と異なる点は、減圧ネジ型ケーブル管に代えて減圧レバー型ケーブル管１３を用い、さらに、吸盤１の上部に吸盤蓋７を設ける構成としたことである。吸盤１の中心には減圧レバー型ケーブル管１３が設けられ、その下端は吸盤中心部と接合している。減圧レバー型ケーブル管１３の中をケーブル２が貫通し、ケーブル２の中には複数の導線２が互いに絶縁されて収納されている。減圧レバー型ケーブル管１３には減圧レバー６が接合され、減圧レバー６を押し下げると、テコの原理で減圧レバー６と吸盤蓋７の接触部が支点となり減圧レバー型ケーブル管１３を持ち上げ、それに伴って、減圧レバー型ケーブル管１３と接合されている吸盤１の中心部が持ち上がって、吸盤内がさらに減圧される。これにより、吸盤式電極が検査対象物に強固に固定されることになる。本実施形態の他の構成については、第１の実施形態と同じであるので説明を省略する。
【００１５】
以上述べた構成の吸盤式電極を用いれば、ひとつの吸盤で複数本の導線との接続を可能とし、吸盤式電極の小型化が図れる。また、検査対象物の電極、端子、接点等の占有面積が小さくても安定した検査が可能となる。
【符号の説明】
【００１６】
１  吸盤
２  ケーブル
３  電極部
４  脱着ツマミ
５  減圧ネジ型ケーブル管
６  減圧レバー
７  吸盤蓋
８  非電極部
９  導線
１０  検査対象物の接触面
１１  検査対象物の端子
１３  減圧レバー型ケーブル管
３１  電極
３２  電極
３３  電極
【図１】
2015162305.tif 000003
【図２】
2015162305.tif 000004
【図３】
2015162305.tif 000005